(57)【特許請求の範囲】
【請求項１】
機器の操作や表示を行う操作表示盤と、当該操作表示盤を開くことで挿入面を露出させる開閉装置とを備える電子機器において、
前記挿入面に露出し、かつ電気的に接続してデータ通信が可能な接続対象電子機器の接続側コネクタが接続される受け側コネクタを有し、当該接続対象電子機器のうち格納可能な接続対象電子機器を、当該接続側コネクタが接続された受け側コネクタとともに格納するコネクタ格納装置と、
前記コネクタ格納装置による前記接続対象電子機器の格納状態を検出する格納検出手段と、
前記開閉装置の開閉を制御する制御手段と、
をさらに備え、
前記制御手段は、前記操作表示盤を開いた状態において、
前記格納検出手段により前記コネクタ格納装置による前記接続対象電子機器の格納を検出した場合に、前記操作表示盤を閉じ、あるいは閉じることを許容し、
前記格納検出手段により前記コネクタ格納装置による前記接続対象電子機器の格納を検出しない場合に、前記操作表示盤を閉じることを禁止することを特徴とする電子機器。
【請求項２】
前記接続対象電子機器と前記電子機器との電気的な接続状態を取得する接続状態判断手段をさらに備え、
前記制御手段は、
前記格納検出手段により前記コネクタ格納装置による前記接続対象電子機器の格納を検出しない場合において、
前記接続状態判断手段が前記接続対象電子機器と前記電子機器とが電気的な接続状態でないと判断した場合に、前記操作表示盤を閉じ、あるいは閉じることを許容し、
前記接続状態判断手段が前記接続対象電子機器と前記電子機器とが電気的な接続状態であると判断した場合に、前記操作表示盤を閉じることを禁止することを特徴とする請求項１に記載の電子機器。
【請求項３】
前記格納検出手段は、前記接続対象電子機器が前記挿入面より前記操作表示盤側に突出している状態を検知するフォトセンサであることを特徴とする請求項１または２に記載の電子機器。
【請求項４】
前記格納検出手段は、前記接続対象電子機器が前記挿入面より前記操作表示盤側に突出しなくなるまで、前記コネクタ格納装置に格納されることで、当該接続対象電子機器が接触することでＯＮとなるスイッチであることを特徴とする請求項１または２に記載の電子機器。
【請求項５】
前記電子機器は、車両の室内に搭載されることを特徴とする請求項１〜４のいずれか１つに記載の電子機器。
【発明の詳細な説明】
【技術分野】
【０００１】
本発明は、電子機器に関し、さらに詳しくは、操作表示盤を開くことで挿入面を露出させる開閉装置を備える電子機器に関するものである。
【背景技術】
【０００２】
一般に、乗用車、トラック、バスなどの車両の室内には、カーオーディオ装置やカーナビゲーション装置などの車載用の電子機器が搭載されている。この車両の室内に搭載される車載用の電子機器には、ＣＤ、ＤＶＤなどのディスクを挿入することでこのディスクの再生（記録）を行うディスク装置や、形状などの規格が予め定められている記録媒体を挿入することで、車載用の電子機器とこの記録媒体とを電気的に接続してデータ通信を可能とするスロットなどが備えられているものがある。【０００３】
このような車載用の電子機器では、操作表示盤と、操作表示盤を開閉する開閉装置とを備えるものがある。この操作表示盤には、車載用の電子機器を操作するボタンや、動作状態を表示するモニターなどが配置されている。また、車載用電子機器は、その前面（車室側の面）に、開閉装置により操作表示盤が開くことで露出する挿入面が形成されている。この挿入面には、上記ディスクをディスク装置に挿入するためのディスク挿入口や、上記記録媒体をスロットに挿入するためのスロット挿入口などが形成されている。つまり、ユーザは、ディスクを再生（記録）する場合や、記録媒体と車載用の電子機器とを電気的に接続し、相互間のデータ通信を行う場合などにおいて、操作表示盤を開閉装置により開き、挿入面を露出させ、ディスク挿入口からディスクを挿入し、スロット挿入口から記録媒体を挿入することとなる。【０００４】
ここで、ディスクをディスク装置からディスク挿入口を介して搬出する際などに、開いた状態の操作表示盤が閉じられると、この操作表示盤がディスクと衝突し、このディスクの記録面を傷つける虞がある。そこで、従来の車載用の電子機器では、例えば特許文献１に示すように、ディスクがディスク挿入口に位置する場合や、ディスクの搬出時において、操作表示盤（グリル）が開状態でないことを検出した場合に、このディスク装置を搬出手段により搬入したり、警告音発生手段により警告音を発生したりするものがある。【０００５】
【特許文献１】特開平８−３２９５７８号公報
【発明の開示】
【発明が解決しようとする課題】
【０００６】
ところで、車載用の電子機器においては、近年例えばＵＳＢ規格、ＩＥＥＥ１３９４規格、ＳＣＳＩ規格などのコネクタを用いて、接続対象電子機器と電気的な接続を可能とするものがある。操作表示盤と、開閉装置とを有する車載用の電子機器においては、これらの規格を満たす受け側コネクタが挿入面に露出して配置されることとなる。従って、接続対象電子機器と車載用の電子機器との電気的な接続を行う場合には、操作表示盤を開いた状態で、挿入面に露出している受け側コネクタに、接続対象電子機器の接続側コネクタを接続することとなる。【０００７】
つまり、接続対象電子機器は、ディスクや形状などの規格が予め定められている記録媒体と異なり、車載用の電子機器の外部、すなわち挿入面よりも操作表示盤側に露出した状態となる。このように、接続後の接続対象電子機器が室内に露出した状態となると、例えばユーザの体の一部や、開閉装置により閉じられることによって操作表示盤が、この接続対象電子機器に接触、衝突することで、接続側コネクタと受け側コネクタとの接続が不完全となり、接続対象電子機器と車載用の電子機器との電気的な接続が強制的に解除される虞がある。【０００８】
そこで、このようなコネクタを用いて接続対象電子機器を接続する場合には、挿入面に露出する受け側コネクタに接続側コネクタが接続された状態で、この接続側コネクタと受け側コネクタを車載用の電子機器の内部に格納することが望まれている。ここで、この接続対象電子機器の形状は、千差万別であるためすべての形状に対応したコネクタ格納装置を構成することは困難である。従って、コネクタ格納装置は、所定の形状の接続対象電子機器のみ格納できるものとなり、この所定の形状以外の形状の接続対象電子機器は格納できないこととなる。【０００９】
このため、車載用の電子機器は、接続対象電子機器との電気的な接続の強制的な解除を防ぐために、接続対象電子機器が接続されていれば操作表示盤を閉じないものとすると、所定の形状の接続対象電子機器が格納されているにもかかわらず操作表示盤が開状態を維持するので、操作表示盤に対する視認性や操作性が常に悪いという問題があった。また、接続対象電子機器が接続されていれば車載用電子機器の内部に格納されているとして操作表示盤を閉じるものとすると、格納困難な形状の接続対象電子機器の電気的な接続を強制的に解除してしまうという問題があった。【００１０】
本発明は、上述した課題をその一例として解決するものであって、受け側コネクタに接続側コネクタが接続された接続対象電子機器の形状に拘わらず、接続対象電子機器との電気的な接続の強制的な解除を抑制することができるとともに、操作表示盤に対する視認性や操作性の悪化を抑制する電子機器を提供することを目的とする。
【課題を解決するための手段】
【００１１】
本発明の請求項１に記載の電子機器は、機器の操作や表示を行う操作表示盤と、当該操作表示盤を開くことで挿入面を露出させる開閉装置とを備える電子機器において、前記挿入面に露出し、かつ電気的に接続してデータ通信が可能な接続対象電子機器の接続側コネクタが接続される受け側コネクタを有し、当該接続対象電子機器のうち格納可能な接続対象電子機器を、当該接続側コネクタが接続された受け側コネクタとともに格納するコネクタ格納装置と、前記コネクタ格納装置による前記接続対象電子機器の格納状態を検出する格納検出手段と、前記開閉装置の開閉を制御する制御手段と、をさらに備え、前記制御手段は、前記操作表示盤を開いた状態において、前記格納検出手段により前記コネクタ格納装置による前記接続対象電子機器の格納を検出した場合に、前記操作表示盤を閉じ、あるいは閉じることを許容し、前記格納検出手段により前記コネクタ格納装置による前記接続対象電子機器の格納を検出しない場合に、前記操作表示盤を閉じることを禁止することを特徴とする。
【発明の効果】
【００１２】
本発明にかかる電子機器は、受け側コネクタに接続側コネクタが接続された接続対象電子機器の形状に拘わらず、接続対象電子機器との電気的な接続の強制的な解除を抑制することができるという効果を奏する。
【図面の簡単な説明】
【００１３】
【図１−１】図１−１は、実施例に係る車載用電子機器の構成例（正面）を示す図である。
【図１−２】図１−２は、実施例に係る車載用電子機器の構成例（概略側面）を示す図である。
【図２】図２は、コネクタ格納装置の構成例を示す図である。
【図３−１】図３−１は、実施例に係る車載用電子機器の操作表示盤の開状態（正面）を示す図である。
【図３−２】図３−２は、実施例に係る車載用電子機器の操作表示盤の開状態（概略側面）を示す図である。
【図４】図４は、コネクタ格納装置の動作説明図である。
【図５】図５は、コネクタ格納装置の動作説明図である。
【図６】図６は、コネクタ格納装置の動作説明図である。
【図７】図７は、コネクタ格納装置の動作説明図である。
【図８】図８は、操作表示盤の開閉制御のフローを示す図である。
【図９】図９は、格納検出手段の他の構成例を示す図である。
【図１０】図１０は、格納検出手段の動作説明図である。
【符号の説明】
【００１４】
１  車載用電子機器（電子機器）
１１  挿入面
１２  ＵＳＢ接続挿入口
１３  ディスク挿入口
１４  貫通孔
２  操作表示盤
２１  前面
２２  ＰＷＲボタン
２３  開閉ボタン
２４  調整つまみ
２５  操作ボタン
２６  モニター
３  開閉装置
３１  開閉装置本体
３２，３３  ヒンジ
４  コネクタ格納装置
４１  受け側コネクタ
４２  搬出用スプリング
４３  接続時規制手段
４３ａ  ストッパー部材
４３ｂ  スライド部材
４３ｃ  ストッパー回転軸
４３ｄ  ストッパー用スプリング
４４  格納時規制手段
４４ａ  スライドピン
４４ｂ  スライドピン用スプリング
４４ｃ  イジェクトボタン
４４ｄ  イジェクトボタン用スプリング
４４ｅ  傾斜部
４４ｆ  突起部
４５  ハウジング
４５ａ  格納部
４５ｂ  切欠部
４５ｃ，４５ｅ  支持部
４５ｄ  貫通孔
５  ディスク装置
６  制御装置
７  フォトセンサ（格納検出手段）
７１  本体部
７２  発光・受光部
７３  反射部
８  ケーシング
９  ＵＳＢメモリ（格納可能な接続対象電子機器）
９１  接続側コネクタ
９２  突起部
１０  ＵＳＢメモリ（格納不可能な接続対象電子機器）
１０１  接続側コネクタ
２０  スイッチ
２１  本体部
２２  接触部
Ｄ  ディスク
【発明を実施するための最良の形態】
【００１５】
以下、この発明につき図面を参照しつつ詳細に説明する。なお、下記実施の形態によりこの発明が限定されるものではない。また、下記実施の形態における構成要素には、当業者が容易に想定できるもの或いは実質的に同一のものが含まれる。【００１６】
〔実施の形態１〕
この実施の形態１に係る電子機器は、操作表示盤と、開閉装置と、コネクタ格納装置と、格納検出手段と、制御手段とを備えるものである。操作表示盤は、この電子機器の挿入面を覆うものである。また、開閉装置は、この挿入面を覆う操作表示盤の開閉を行うものである。また、コネクタ格納装置は、挿入面に露出し、かつ接続対象電子機器の接続側コネクタが接続される受け側コネクタを有する。ここで、コネクタ格納装置は、接続側コネクタが受け側コネクタに接続された接続対象電子機器のうち、格納可能な接続対象電子機器を内部に挿入することで、この格納可能な接続対象電子機器を、この接続対象電子機器の接続側コネクタが接続された受け側コネクタとともに格納する。また、格納検出手段は、コネクタ格納装置による接続対象電子機器の格納状態を検出する。また、制御手段は、この開閉装置の開閉を制御するものである。【００１７】
そして、実施の形態１に係る電子機器は、開閉装置により、操作表示盤を開いた状態において、格納検出手段がコネクタ格納装置による接続対象電子機器の格納状態を検出する。制御手段は、この格納検出手段がコネクタ格納装置による接続対象電子機器の格納を検出した場合に、開閉装置により操作表示盤を閉じ、あるいはこの開閉装置により操作表示盤を閉じることを許容する。一方、制御手段は、格納検出手段がコネクタ格納装置による接続対象電子機器の格納を検出しない場合に、開閉装置により操作表示盤を閉じることを禁止する。【００１８】
この実施の形態１に係る電子機器では、上記構成を特徴とすることで、制御手段により、コネクタ格納装置による接続対象電子機器の格納状態に応じて、開閉装置による操作表示盤の開閉を行うことができる。そして、制御手段は、コネクタ格納装置により接続対象電子機器が格納されている場合に、開閉装置により操作表示盤を閉じる。従って、接続側コネクタが受け側コネクタに接続された接続対象電子機器が格納可能な接続対象電子機器である場合は、挿入面を操作表示盤が覆うので、容易にこの操作表示盤を視認、操作することができる。また、接続側コネクタが受け側コネクタに接続された接続対象電子機器が格納可能な接続対象電子機器である場合は、この接続対象電子機器がコネクタ格納装置により格納されるので、接続対象電子機器にユーザの体の一部が接触、衝突することを抑制することができる。【００１９】
また、接続側コネクタと受け側コネクタとが接続された状態で、接続対象電子機器がコネクタ格納装置に格納されずに、挿入面から突出していても、開閉装置により操作表示盤を閉じることはない。そして、制御手段は、コネクタ格納装置により接続対象電子機器が格納されていない場合に、開閉装置による操作表示盤が開いた状態を維持する。従って、接続側コネクタと受け側コネクタとが接続された状態で、接続対象電子機器がコネクタ格納装置に格納されずに、挿入面から突出していても、開閉装置により操作表示盤が閉じられることで、接続対象電子機器にこの操作表示盤が接触、衝突することはない。【００２０】
これらにより、受け側コネクタに接続側コネクタが接続された接続対象電子機器の形状に拘わらず、接続対象電子機器との電気的な接続の強制的な解除を抑制することができる。また、操作表示盤に対する視認性や操作性の悪化を抑制することができる。【００２１】
〔実施の形態２〕
この実施の形態２に係る電子機器は、上記実施の形態１に係る電子機器において、接続状態取得手段をさらに備えるものである。接続状態取得手段は、接続対象電子機器とこの電子機器との電気的な接続状態、すなわち接続対象電子機器の接続側コネクタと電子機器の受け型コネクタとの接続を取得する。【００２２】
そして、実施の形態２に係る電子機器では、制御手段は、開閉装置により操作表示盤を開いた状態であって、さらに格納検出手段によりコネクタ格納装置による接続対象電子機器の格納を検出しない場合において、接続状態取得手段が接続対象電子機器と電子機器との電気的な接続状態を取得する。制御手段は、接続状態取得手段が接続対象電子機器と電子機器とが電気的な接続状態でないと取得した場合に、開閉装置により操作表示盤を閉じ、あるいはこの開閉装置により閉じることを許容する。一方、制御手段は、接続状態取得手段が接続対象電子機器と電子機器とが電気的な接続状態であると取得した場合に、開閉装置により操作表示盤を閉じることを禁止する。【００２３】
この実施の形態２に係る電子機器では、上記構成を特徴とすることで、開閉装置がコネクタ格納装置による接続対象電子機器の格納状態および接続対象電子機器と電子機器との電気的な接続状態に応じて、操作表示盤の開閉を行うことができる。そして、コネクタ格納装置により接続対象電子機器が格納されておらず、接続対象電子機器と電子機器とが電気的な接続状態でない場合に、開閉装置により操作表示盤を閉じることができる。つまり、制御装置は、コネクタ格納装置により接続対象電子機器が格納されておらず、接続対象電子機器と電子機器とが電気的な接続状態である場合のみに、開閉装置による操作表示盤の開状態を維持する。従って、制御手段は、操作表示盤を閉じても接続対象電子機器との電気的な接続の強制的な解除がされない場合に、開閉装置により操作表示盤を閉じることができる。これにより、上記実施の形態１に係る電子機器と同様に、受け側コネクタに接続側コネクタが接続された接続対象電子機器の形状に拘わらず、接続対象電子機器との電気的な接続の強制的な解除を抑制することができる。また、操作表示盤に対する視認性や操作性の悪化をさらに抑制することができる。【００２４】
〔実施の形態３〕
この実施の形態３に係る電子機器は、上記実施の形態１または２に係る電子機器において、格納検出手段を接続対象電子機器が挿入面より操作表示盤側に突出している状態を検知するフォトセンサとする。従って、上記実施の形態１または２に係る電子機器と同様の作用効果を奏するとともに、接続側コネクタが受け側コネクタに接続された接続対象電子機器がコネクタ格納装置により格納されていない状態を確実に検出することができる。【００２５】
〔実施の形態４〕
この実施の形態４に係る電子機器は、上記実施の形態１または２に係る電子機器において、格納検出手段を接続対象電子機器が挿入面より操作表示盤側に突出しなくなるまでコネクタ格納装置に格納されることで、この接続対象電子機器が接触することでＯＮとなるスイッチとする。従って、上記実施の形態１または２に係る電子機器と同様の作用効果を奏するとともに、スイッチに接触することができるコネクタ格納装置に格納可能な接続対象電子機器以外の接続対象電子機器がコネクタ格納装置により格納されていない状態を確実に検出することができる。【００２６】
〔実施の形態５〕
この実施の形態５に係る電子機器は、上記実施の形態１〜４のいずれか１つに係る電子機器において、この電子機器を車両の室内に搭載する。従って、この電子機器が、接続側コネクタが受け側コネクタに接続された接続対象電子機器にユーザの体の一部が接触、衝突し易い、車両の室内に搭載されても、上記実施の形態１〜４のいずれか１つに係る電子機器と同様の作用効果を奏することができる。
【実施例】
【００２７】
図１−１および図１−２は、実施例に係る送り機構を備えるディスク装置の構成例を示す図である。また、図２は、コネクタ格納装置の構成例を示す図である。また、図３−１および図３−２は、実施例にかかる車載用電子機器の操作表示盤の開状態を示す図である。また、図４〜７は、コネクタ格納装置の動作説明図である。【００２８】
なお、以下の実施例では、電子機器として、車両の室内に搭載される車載用電子機器について説明するが、この発明はこれに限定されるものではなく、開閉装置により操作表示盤の開閉が行われ、コネクタ格納装置を備えるものであれば、いずれであっても良い。また、以下の実施例では、コネクタ格納装置の他にディスク装置を備える電子機器について説明するが、この発明はこれに限定されるものではない。例えば、ディスク装置を備えていなくても良い。また、ディスク装置の他に、形状などの規格が予め定められている記録媒体を挿入し、電気的な接続を可能とするスロットや、大容量のデータの記録再生が可能な記録媒体であるハードディスクを有するＨＤＤ（Hard Disk Drive）装置などを備えていても良い。【００２９】
また、以下の実施例では、接続対象電子機器として、ＵＳＢ（Universal Serial Bus）規格のコネクタを有する記録媒体であるＵＳＢメモリについて説明するが、この発明はこれに限定されるものではない。例えば、ＩＥＥＥ１３９４規格、ＳＣＳＩ規格など他の規格の記録媒体でもあっても良いし、記録媒体以外のユーザが携帯可能なノートパソコンやＰＤＡ（Personal Digital Assistance）など携帯用電子機器などであっても良い。この場合、接続側コネクタは、この携帯用電子機器に直接備えられているか、ケーブルを介して備えられる。【００３０】
図１に示すように、この車載用電子機器１は、操作表示盤２と、開閉装置３と、コネクタ格納装置４と、ディスク装置５と、制御装置６と、フォトセンサ７とにより構成されている。なお、８は、開閉装置３、コネクタ格納装置４、ディスク装置５、制御装置６、フォトセンサ７を収納するケーシングである。また、９は、車載用電子機器１と電気的に接続してデータ通信可能な接続対象電子機器であり、かつ格納可能な接続電子機器であるＵＳＢメモリである。【００３１】
操作表示盤２は、開閉装置３によって閉状態とされている際に、車載用電子機器１の挿入面１１を覆うものである。この操作表示盤２には、車載用電子機器１の動作を指示する入力手段と、この車載用電子機器１の動作状態を表示する表示手段とから構成されている。操作表示盤２の前面２１には、入力手段として、車載用電子機器１の起動・停止を指示するＰＷＲボタン２２、操作表示盤２の開閉動作を指示する開閉ボタン２３、音量などの調整を指示する複数の調整つまみ２４、車載用電子機器１のその他の動作を指示する複数の操作ボタン２５などが設けられている。一方、操作表示盤２の前面２１には、表示手段として、モニター２６が設けられている。これらの入力手段および表示手段は、制御装置６に接続されている。従って、制御装置６は、入力手段から車載用電子機器１の動作を指示する各種の入力信号が入力され、車載用電子機器１の動作状態を表示信号として表示手段に出力する。【００３２】
開閉装置３は、挿入面１１を覆う操作表示盤２の開閉を行うものであり、開閉装置本体３１と、２つのヒンジ３２，３３とにより構成されている。開閉装置本体３１には、図示しない駆動源、例えばモータが設けられている。この図示しない駆動源は、その駆動力により、２つのヒンジ３２，３３を回動させるものである。２つのヒンジ３２，３３は、それぞれ開閉装置本体３１および操作表示盤２に回転自在に支持されている。従って、操作表示盤２は、上記図示しない駆動源の駆動力により２つのヒンジ３２，３３が回動することで、開閉することとなる（図３−１および図３−２参照）。【００３３】
ここで、開閉装置３は、制御手段である制御装置６により制御される。例えば、制御装置６は、操作表示盤２が閉状態で、開閉ボタン２３からＯＮ信号が入力されることで、開閉装置３に開信号を出力する。これにより、この開閉装置３は、図示しない駆動源により２つのヒンジ３２，３３を矢印Ａ方向に回動させ（図１−２参照）、図３−２に示すように、操作表示盤２を開き、開状態を維持する。また、例えば、制御装置６は、操作表示盤２が開状態で、ディスクがディスク装置５に挿入され、搬入されたことの取得、あるいは後述するフォトンセンサ７によりコネクタ格納装置４によるＵＳＢメモリ９の格納を検出したことで、開閉装置３に閉信号を出力する。これにより、この開閉装置３は、図示しない駆動源により２つのヒンジ３２，３３を矢印Ｂ方向に回動させ（図３−２参照）、図１−２に示すように、操作表示盤２を閉じ、閉状態を維持する。【００３４】
コネクタ格納装置４は、図２に示すように、接続対象電子機器のうち格納可能な接続対象電子機器、ここではコネクタ格納装置４にすべてを格納できる形状であるＵＳＢメモリ９と車載用電子機器１との電気的な接続を維持した状態で、このＵＳＢメモリ９を内部に挿入し、格納するものである。このコネクタ格納装置４は、受け側コネクタ４１と、搬出手段である搬出用スプリング４２と、接続時規制手段４３と、格納時規制手段４４と、ハウジング４５とにより構成されている。受け側コネクタ４１は、ハウジング４５に形成された格納部４５ａの長手方向に摺動自在に支持されている。この受け側コネクタ４１には、接続対象電子機器の接続側コネクタ、ここではＵＳＢメモリ９の接続側コネクタ９１（オスコネクタ）と接続することができるＵＳＢ規格のメスコネクタが形成されている。この受け側コネクタ４１は、制御装置６と接続されており、接続側コネクタ９１が接続されることで、ＵＳＢメモリ９と車載用電子機器１とは電気的に接続されることとなる。なお、この格納部４５ａは、その一方の端部が挿入面１１に形成されたＵＳＢ接続挿入口１２と連通している。【００３５】
搬出用スプリング４２は、ハウジング４５の格納部４５ａの他方の端部と、受け側コネクタ４１との間に配置されている。この搬出用スプリング４２は、受け側コネクタ４１に対して、この受け側コネクタ４１の摺動方向うち同図矢印Ｃに示す格納方向と反対方向である搬出方向に、搬出付勢力を作用するものである。【００３６】
接続時規制手段４３は、受け側コネクタ４１に接続対象電子機器のうち格納可能な接続対象電子機器の接続側コネクタ、ここではＵＳＢメモリ９の接続側コネクタ９１を接続する際に、この受け側コネクタ４１が接続位置から格納方向に移動することを規制するものである。この接続時規制手段は、ストッパー部材４３ａと、スライド部材４３ｂと、ストッパー回転軸４３ｃと、ストッパー付勢手段であるストッパー用スプリング４３ｄとにより構成されている。【００３７】
ストッパー部材４３ａは、受け側コネクタ４１に対してストッパー回転軸４３ｃにより回転自在に支持されている。ここで、格納部４５ａには、受け側コネクタ４１が排出用スプリング４２により、ＵＳＢ接続挿入口１２から挿入面１１に露出する接続位置（図２参照）の際に、ストッパー部材４３ａの一方の端部が入り込む切欠部４５ｂが形成されている。【００３８】
スライド部材４３ｂは、受け側コネクタ４１に対して、格納方向および搬出方向に移動自在に支持されている。また、このスライド部材４３ｂは、一方の端部がストッパー部材４３ａの他方の端部と接触しており、他方の端部が受け側コネクタ４１よりも搬出方向に突出するように、受け側コネクタ４１に配置されている。【００３９】
ストッパー用スプリング４３ｄは、受け側コネクタ４１とストッパー部材４３ａとの間に配置されている。このストッパー用スプリング４３ｄは、ストッパー部材４３ａに対して、このストッパー部材４３ａの回転方向のうち、同図矢印Ｅ方向に示すスライド部材４３ｂが格納方向に移動する方向と反対方向に、接続時規制付勢力を作用するものである。なお、このストッパー用スプリング４３ｄの接続時規制付勢力は、ストッパー部材４３ａに外力が作用していない場合に、その一方の端部が切欠部４５ｂに入り込めるように設定されている。【００４０】
格納時規制手段４４は、接続側コネクタが受け側コネクタ４１に接続された接続対象電子機器のうち格納可能な接続対象電子機器、ここではＵＳＢメモリ９を接続側コネクタ９１が接続された受け型コネクタ４１とともに、格納部４５ａに格納した際に、この受け側コネクタ４１が搬出方向に移動することを規制するものである。また、この規制された状態を解除するものである。この格納時規制手段は、スライドピン４４ａと、スライドピン付勢手段であるスライドピン用スプリング４４ｂと、イジェクトボタン４４ｃと、イジェクトボタン付勢手段であるイジェクトボタン用スプリング４４ｄにより構成されている。【００４１】
スライドピン４４ａは、ハウジング４５の支持部４５ｃにより摺動自在に支持されている。ここで、受け側コネクタ４１には、この受け側コネクタ４１がＵＳＢメモリ９のすべてを格納部４５ａに格納することができる格納位置（図５参照）の際に、スライドピン４４ａの一方の端部が入り込む切欠部４１ａが形成されている。【００４２】
スライドピン用スプリング４４ｂは、支持部４５ｃとスライドピン４４ａとの間に配置されている。このスライドピン用スプリング４４ｂは、スライドピン４４ａに対して、このスライドピン４４ａの摺動方向のうち、同図矢印Ｆ方向に示すスライドピン４４ａが受け側コネクタ４１の切欠部４１ａに入り込む方向に、格納時規制付勢力を作用するものである。なお、このスライドピン用スプリング４４ｂの格納時規制付勢力は、スライドピン４４ａに外力が作用していない場合に、その一方の端部がハウジング４５の貫通孔４５ｄを介して、格納部４５ａに突出するように設定されている。【００４３】
イジェクトボタン４４ｃは、ハウジング４５の支持部４５ｅにより摺動自在に支持されている。このイジェクトボタン４４ｃのスライドピン４４ａに対向する位置には、傾斜部４４ｅが形成されている。ここで、スライドピン４４ａのイジェクトボタン４４ｃに対向する位置には、上記傾斜部４４ｅと接触する突起部４４ｆが形成されている。【００４４】
イジェクトボタン用スプリング４４ｄは、支持部４５ｅとイジェクトボタン４４ｃとの間に配置されている。このイジェクトボタン用スプリング４４ｄは、イジェクトボタン４４ｃに対して、このイジェクトボタン４４ｃの摺動方向のうち、搬出方向に、ボタン付勢力を作用するものである。なお、このイジェクトボタン用スプリング４４ｄのボタン付勢力は、イジェクトボタン４４ｃに外力が作用していない場合に、その一方の端部が挿入面１１の貫通孔１４を介して、この挿入面１１よりも操作表示盤側に突出するように設定されている。【００４５】
ここで、上記構成のコネクタ格納装置４の動作について説明する。まず、接続対象電子機器のうち格納可能な接続対象電子機器、ここではＵＳＢメモリ９と車載用電子機器とを電気的に接続し、このコネクタ格納装置４にこのＵＳＢメモリ９を格納する場合について説明する。【００４６】
図２に示すように、ＵＳＢメモリ９を接続側コネクタ９１が受け側コネクタ４１と対向するよう配置し、このＵＳＢメモリ９を同図矢印Ｃに示す格納方向に押圧することでＵＳＢ接続挿入口１２から格納部４５ａに挿入する。ＵＳＢ接続挿入口１２に挿入されたＵＳＢメモリ９の接続側コネクタ９１は、受け側コネクタ４１と接触し、この受け側コネクタ４１とともに格納方向に移動しようとする。このとき、受け側コネクタ４１は、接続時規制手段４３により、接続位置から格納方向への移動が規制されている。従って、図４に示すように、接続側コネクタ９１が受け側コネクタ４１に接続され、受け側コネクタ４１を介して、ＵＳＢメモリ９と制御装置６とが接続され、このＵＳＢメモリ９と車載用電子機器１とが電気的に接続される。【００４７】
ここで、接続側コネクタ９１が受け側コネクタ４１に接続される際に、ＵＳＢメモリ９の接続側コネクタ９１近傍が接続時規制手段４３のスライド部材４３ｂと接触し、さらにこのスライド部材４３ｂを格納方向に摺動させる。スライド部材４３ｂが格納方向に摺動することで、ストッパー部材４３ａには、ストッパー回転軸４３ｃを中心に、同図矢印Ｅに示す方向に回転させる回転力が作用する。ストッパー部材４３ａは、この回転力がストッパー用スプリング４３ｄによりストッパー部材４３ａに作用する接続時規制付勢力に対抗することで、図４に示すように、格納部４５ａの切欠部４５ｂから外れる。これにより、接続時規制手段４３による受け側コネクタ４１の接続位置から同図矢印Ｃに示す格納方向への移動の規制が解除される。【００４８】
接続規制手段４３による規制が解除された状態で、受け側コネクタ４１に接続側コネクタ９１が接続されたＵＳＢメモリ９をさらに格納方向に押圧すると、このＵＳＢメモリ９は、ＵＳＢメモリ９に作用する押圧力が、搬出用スプリング４２により受け側コネクタ４１に作用する排出付勢力に対抗することで、図５に示すように、ＵＳＢ接続挿入口１２からさらに格納部４５ａに挿入される。このとき、受け側コネクタ４１は、ＵＳＢメモリ９がすべて格納部４５ａに格納されるまで、このＵＳＢメモリ９とともに、格納位置まで格納部４５ａを同図矢印Ｃに示す格納方向に摺動する。そして、受け側コネクタ４１が格納位置に位置すると、図５に示すように、格納時規制手段４４のスライドピン４４ａの一方の端部が受け側コネクタ４１の切欠部４１ａに入り込む。これにより、格納時規制手段４４による受け側コネクタ４１の格納位置から搬出方向への移動が規制され、格納可能な接続対象電子機器であるＵＳＢメモリ９は、接続側コネクタ９１が受け側コネクタ４１に接続された状態のままコネクタ格納装置４に格納される。【００４９】
なお、ＵＳＢメモリ９がこのコネクタ格納装置４に格納された状態から、このＵＳＢメモリ９をコネクタ格納装置４から搬出する際には、同図に示すように、イジェクトボタン４４ｃを格納方向に押圧する。イジェクトボタン４４ｃは、この押圧力がイジェクトボタン用スプリング４４ｄによりイジェクトボタン４４ｃに作用するボタン付勢力に対抗することで、支持部４５ｅに支持された状態で、格納方向に摺動する。このとき、傾斜部４４ｅも格納方向に移動し、この傾斜部４４ｅと接触しているスライドピン４４ａの突起部４４ｆを同図矢印Ｆ方向に示すスライドピン４４ａが受け側コネクタ４１の切欠部４１ａに入り込む方向と反対方向に押圧する。スライドピン４４ａは、この押圧力がスライドピン用スプリング４４ｂによりこのスライドピン４４ａに作用する格納時規制付勢力に対抗することで、支持部４５ｃに支持された状態で、スライドピン４４ａが受け側コネクタ４１の切欠部４１ａに入り込む方向と反対方向に摺動する。これにより、受け側コネクタ４１の切欠部４１ａに入り込んでいたスライドピン４４ａの一方の端部がこの切欠部４１ａから外れ、図６に示すように、格納時規制手段４４による受け側コネクタ４１の格納位置から排出方向への移動の規制が解除される。【００５０】
格納時規制手段４４による規制が解除されると、ＵＳＢメモリ９は、搬出用スプリング４２により受け側コネクタ４１に作用する搬出付勢力により、接続側コネクタ９１が接続されている受け側コネクタ４１とともに、格納部４５ａを格納位置から同図矢印Ｃに示す格納方向と反対方向である搬出方向に移動し、挿入面１１よりも操作表示盤側に突出することとなる。これにより、図２に示すように、ＵＳＢメモリ９は、コネクタ格納装置４から搬出される。【００５１】
次に、接続対象電子機器のうち格納不可能な接続対象電子機器、ここではＵＳＢメモリ１０と車載用電子機器とを電気的に接続する場合について説明する。なお、ＵＳＢメモリ１０は、その形状により、コネクタ格納装置４の格納部４５ａに挿入し、格納することができないものである。図７に示すように、ＵＳＢメモリ１０を同図矢印Ｃに示す格納方向に押圧することでＵＳＢ接続挿入口１２から格納部４５ａに挿入する。ここで、受け側コネクタ４１は、上述のように、接続時規制手段４３により、接続位置から格納方向への移動が規制されている。従って、同図に示すように、接続側コネクタ１０１が受け側コネクタ４１に接続され、受け側コネクタ４１を介して、ＵＳＢメモリ１０と制御装置６とが接続され、このＵＳＢメモリ１０と車載用電子機器１とが電気的に接続される。【００５２】
このとき、上述のように、接続規制手段４３による規制が解除された状態で、受け側コネクタ４１に接続側コネクタ１０１が接続されたＵＳＢメモリ１０を格納方向に押圧することができる。しかしながら、ＵＳＢメモリ９に作用する押圧力が、搬出用スプリング２２により受け側コネクタ４１に作用する排出付勢力に対抗しても、同図に示すように、このＵＳＢメモリ１０が、ＵＳＢ接続挿入口１２からさらに格納部４５ａに挿入されることはない。従って、ＵＳＢメモリ１０は車両電子機器１との電気的な接続がされた状態で、挿入面１１よりも操作表示盤側に突出したままとなる。【００５３】
ディスク装置５は、ＣＤ（Compact Disk）、ＤＶＤ（Digital Versatile Disk）などを挿入することでこのディスクＤの再生（記録）を行うものである。このディスク装置５の一方の端部は、挿入面１１のディスク挿入口１３と連通している。ディスクＤは、ディスク挿入口１３からユーザにより挿入される。挿入されたディスクＤは、ディスク装置５により内部に搬入される。そして、ディスク装置５は、ディスクＤを回転させ、図示しないピックアップによりディスクＤの記録を読み込む。このディスク装置５は、制御装置６に接続されている。従って、ディスク装置５によるディスクＤの搬入、再生、搬出などは、制御装置６により制御される。【００５４】
制御装置６は、制御手段であり、車載用電子機器１の動作を制御、特に開閉装置３の開閉を制御するものであり、図示しない記憶部と処理部とが設けられている。この制御装置６は、接続状態判断手段としての機能を有する。この図示しない記憶部には、車載用電子機器１の制御方法、特に操作表示盤２の開閉制御方法を実現するコンピュータプログラム（以下、「開閉制御プログラム」と称する）が格納されている。この記憶部は、フラッシュメモリ等の不揮発性のメモリ、ＲＯＭ（Read Only Memory）のような読み出しのみが可能な不揮発性のメモリあるいはＲＡＭ（Random Access Memory）のような読み書きが可能な揮発性のメモリ、あるいはこれらの組み合わせにより構成することができる。また、処理部は、メモリおよびＣＰＵ（Central Processing Unit）により構成され、上記開閉制御プログラムをメモリにロードして実行することにより、この操作表示盤２の開閉制御方法を実現させるものである。【００５５】
フォトセンサ７は、格納検出手段であり、コネクタ格納装置４による接続対象電子機器の格納状態を検出するものである。このフォトセンサ７は、本体部７１と、発光・受光部７２と、反射部７３とにより構成されている。【００５６】
本体部７１は、ハウジング４５に取り付けられており、発光・受光部７２から反射部７３に向かって発光させるものである。また、この本体部７１は、制御装置６に接続されており、発光・受光部７２から反射部７３に向かって照射された光がこの発光・受光部７２と反射部７３とを往復するのに要する時間をこの制御装置６に出力するものである。【００５７】
発光・受光部７２は、挿入面１１のＵＳＢ接続挿入口１２の近傍に設けられている。この発光・受光部７２は、図示しない例えばＬＥＤなどの発光素子と、受光素子を備え、発光素子により光を反射部７３に向かって照射し、受光素子により光を受光するものである。【００５８】
反射部７３は、挿入面１１のＵＳＢ接続挿入口１２の近傍で、かつ発光・受光部７２と対向する位置に設けられている。この反射部７３は、発光・受光部７２が照射した光をこの発光・受光部７２に向かって反射するものである。【００５９】
このフォトセンサ７は、発光・受光部７２と反射部７３との間に、すなわち挿入面１１のＵＳＢ接続挿入口１２に接続対象電子機器が介在しない限り、発光・受光部７２が照射した光は、発光・受光部７２と反射部７３との間の距離Ｌ１を往復することとなる。しかし、発光・受光部７２と反射部７３との間に、接続対象電子機器が介在する場合は、発光・受光部７２が照射した光は、発光・受光部７２と反射部７３との間の距離Ｌ１よりも短い距離Ｌ２（図４、７参照）を往復することとなる。これにより、フォトセンサ７は、接続対象電子機器が挿入面より操作表示盤側に突出している状態を検知することができる。つまり、接続側コネクタが受け側コネクタ４１に接続された接続対象電子機器がコネクタ格納装置４により格納されていない状態を確実に検出することができる。【００６０】
次に、操作表示盤２の開閉制御方法について説明する。図８は、操作表示盤の開閉制御のフローを示す図である。同図に示すように、まず、制御装置６は、操作表示盤２が開閉装置３により開かれた状態であるか否かを判断する（ステップＳＴ１０１）。これは、例えば、操作表示盤２が閉状態でユーザが開閉ボタン２２を押すことで、制御装置６から出力された開信号により、開閉装置３が操作表示盤２を開き、この開かれた状態、すなわち開状態を維持しているか否かを判断する。【００６１】
次に、制御装置６は、フォトセンサ７によりコネクタ格納装置４による接続対象電子機器の格納状態を検出する（ステップＳＴ１０２）。ここで、フォトセンサ７がコネクタ格納装置４により、格納可能な接続対象電子機器、ここではＵＳＢメモリ９が格納されていることを検出する方法について説明する。フォトセンサ７は、ＵＳＢメモリ９がその接続側コネクタ９１と受け型コネクタ４１とが接続され、コネクタ格納装置４に格納されるまでは、図４に示すように、発光・受光部７２が照射した光は、発光・受光部７２と反射部７３との間の距離Ｌ１よりも短い距離Ｌ２を往復することとなり、ＵＳＢメモリ９が挿入面１１より操作表示盤側に突出している状態を検知し続けることとなる。【００６２】
そして、ＵＳＢメモリ９のすべてがコネクタ格納装置４に格納されると、図５に示すように、発光・受光部７２が照射した光は、発光・受光部７２と反射部７３との間の距離Ｌ１を往復することとなり、ＵＳＢメモリ９が挿入面１１より操作表示盤側に突出している状態を検知しなくなる。つまり、フォトセンサ７は、ＵＳＢメモリ９の接続側コネクタ９１と受け側コネクタ４１とが接続されていない状態から、このＵＳＢメモリ９が挿入面１１より操作表示盤側に突出している状態を検知し、さらにＵＳＢメモリ９が挿入面１１より操作表示盤側に突出している状態を検知しなくなることで、コネクタ格納装置４による接続対象電子機器の格納を検出することができる。【００６３】
次に、制御装置６は、コネクタ格納装置４による接続対象電子機器の格納を検出した、すなわち接続対象電子機器を格納した場合には、ディスク装置５により、ディスクＤが搬入あるいは搬送中であるか否かを判断する（ステップＳＴ１０３）。【００６４】
次に、制御装置６は、ディスクＤが搬入中あるいは搬送中であると判断すると、操作表示盤２が閉じることを禁止する（ステップＳＴ１０４）。つまり、制御装置６は、操作表示盤２が閉状態でユーザが開閉ボタン２２を押すことで、ＯＮ信号が入力されても、開閉装置３により操作表示盤２を閉じず、開状態を維持する。これにより、コネクタ格納装置４により、格納可能な接続対象電子機器であるＵＳＢメモリ９が格納されていても、ディスクＤが挿入面１１のディスク挿入口１３から操作表示盤側に突出している場合に、開状態の操作表示盤２が閉じられることで、この操作表示盤２がディスクＤと接触、衝突して、記録面を損傷することを抑制することができる。なお、制御装置６は、ディスクＤが搬入中あるいは搬送中でないと判断するまで、開閉装置３により操作表示盤２が閉じることを禁止する。【００６５】
また、制御装置６は、ディスクＤが搬入中あるいは搬送中でないと判断すると、操作表示盤２が閉じることを許容する（ステップＳＴ１０５）。つまり、制御装置６は、操作表示盤２が閉状態でユーザが開閉ボタン２２を押すことで、ＯＮ信号が入力されれば、開閉装置３により操作表示盤２を閉じることができる状態とする。【００６６】
次に、制御装置６は、実際に、ユーザにより開閉ボタンが押され、ＯＮ信号が入力されか否かを判断する（ステップＳＴ１０６）。【００６７】
次に、制御装置６は、ユーザにより開閉ボタンが押され、ＯＮ信号が入力されたと判断すると、操作表示盤２を閉じる（ステップＳＴ１０７）。つまり、制御装置６は、開閉装置３に閉信号を出力し、開閉装置３により操作表示盤２が閉じられる。従って、接続側コネクタが受け側コネクタに接続された接続対象電子機器が格納可能な接続対象電子機器、ここでは、ＵＳＢメモリ９である場合は、操作表示盤２が開閉装置３により閉じ、挿入面１１をこの操作表示盤２が覆うので、ユーザが容易にこの操作表示盤２を視認、操作することができる。また、この接続対象電子機器、ここではＵＳＢメモリ９がコネクタ格納装置４により格納されるので、ＵＳＢメモリ９にユーザの体の一部が接触、衝突することを抑制することができる。【００６８】
また、制御装置６は、接続状態判断手段として、コネクタ格納装置４による接続対象電子機器の格納を検出しない、すなわち接続対象電子機器を未格納の場合には、接続対象電子機器の接続側コネクタと受け側コネクタ４１との接続状態を判断する（ステップＳＴ１０８）。つまり、制御装置６は、格納可能な接続対象電子機器や格納不可能な接続対象電子機器、ここでは、ＵＳＢメモリ９,１０の接続側コネクタ９１，１０１が受け側コネクタ４１に接続されているか否かを判断する。例えば、制御装置６は、ＵＳＢメモリ９,１０と電気的な接続状態であるか否かを判断する。【００６９】
次に、制御装置６は、接続対象電子機器の接続側コネクタが受け側コネクタ４１に接続されていると判断すると、操作表示盤２が閉じることを禁止する（ステップＳＴ１０９）。つまり、制御装置６は、上述のように、開閉装置３により操作表示盤２を閉じず、開状態を維持する。これにより、コネクタ格納装置４により格納可能な接続対象電子機器であるＵＳＢメモリ９をあえて格納しない場合や、格納不可能な接続対象電子機器であるＵＳＢメモリ１０が格納されずに車載用電子機器１と電気的な接続がされている場合に、開状態の操作表示盤２が閉じられることで、この操作表示盤２がＵＳＢメモリ９，１０に接触、衝突することはない。【００７０】
また、制御装置６は、接続対象電子機器の接続側コネクタが受け側コネクタ４１に接続されていないと判断すると、ディスク装置５により、ディスクＤが搬入あるいは搬送中であるか否かを判断する（ステップＳＴ１０３）。つまり、ユーザが接続対象電子機器と車載用電子機器１との接続を行わない場合には、ディスクＤが搬入中あるいは搬送中であると判断すると、開閉装置３により操作表示盤２を閉じることを制御装置６が禁止し（ステップＳＴ１０４）、ディスクＤが搬入中あるいは搬送中でないと判断すると、開閉装置３により操作表示盤２を開くことを制御装置６が許容する（ステップＳＴ１０５）。【００７１】
これにより、受け側コネクタ４１に接続側コネクタ９１，１０１が接続されたＵＳＢメモリ９，１０の形状に拘わらず、ＵＳＢメモリ９，１０との電気的な接続の強制的な解除を抑制することができる。また、制御装置６は、操作表示盤２を閉じてもＵＳＢメモリ９，１０との電気的な接続の強制的な解除がされない場合に、開閉装置３により操作表示盤２を閉じることを許容する。これにより、開閉装置３により操作表示盤２を閉じ、挿入面１１をこの操作表示盤２が覆うので、ユーザによる操作表示盤２に対する視認性や操作性の悪化を抑制することができる。【００７２】
なお、上記実施例では、格納検出手段として、フォトセンサ７を用いたが、この発明はこれに限定されるものではない。例えば、接続対象電子機器が押圧、あるいは接触することで、ＯＮとなるスイッチにより、接続対象電子機器の格納状態を検出するようにしても良い。図９は、格納検出手段の他の構成例を示す図である。図１０は、格納検出手段の動作説明図である。【００７３】
例えば、図９に示すように、ケーシング４５のフォトセンサ７の代わりに、格納可能な接続対象電子機器であるＵＳＢメモリ９に形成された突起部９２が接触することでＯＮとなるスイッチ２０を取り付ける。【００７４】
このスイッチ２０は、格納検出手段であり、コネクタ格納装置４による接続対象電子機器の格納状態を検出するものである。このスイッチ２０は、本体部２１と、接触部２２とにより構成されている。【００７５】
本体部２１は、ハウジング４５に取り付けられている。この本体部２１は、制御装置６に接続されており、接触部２２がＵＳＢメモリ９の突起部９２と接触したことをこの制御装置６に出力するものである。【００７６】
接触部２２は、挿入面１１のＵＳＢ接続挿入口１２の近傍に配置されている。つまり、接触部２２は、図１０に示すように、格納可能な接続対象電子機器であるＵＳＢメモリ９が挿入面１１より操作表示盤側に突出しなくなるまで、コネクタ格納装置４に格納された際に、このＵＳＢメモリ９の突起部９２に接触する位置に配置されている。【００７７】
従って、このスイッチ２０は、受け側コネクタ４１に接続側コネクタ９１が接続された突起部９２が形成された格納可能な接続対象電子機器であるＵＳＢメモリ９がコネクタ格納装置４により格納されることで、ＯＮとなる。そして、本体部２１は、制御装置６にＯＮ信号を出力する。これにより、制御装置６は、スイッチ２０により、図８に示す操作表示盤２の開閉制御方法におけるコネクタ格納装置４による接続対象電子機器の格納状態の検出（ステップＳＴ１０２）を行うことができる。つまり、コネクタ格納装置４により、格納可能な接続対象電子機器であるＵＳＢメモリ９が格納されていることの検出は、接触部２２に突起部９２が接触することで、制御装置６に出力されるＯＮ信号により行うことができる。従って、スイッチ２０に接触することができるコネクタ格納装置４に格納可能な接続対象電子機器であるＵＳＢメモリ９以外の接続対象電子機器、例えばＵＳＢメモリ１０がコネクタ格納装置により格納されていない状態を確実に検出することができる。【００７８】
なお、上記実施例では、制御装置６により操作表示盤２を閉じることが許容されて、ユーザが開閉ボタン２２を押すことで、制御装置６から閉信号が開閉装置３に出力され、開閉装置３が操作表示盤２を閉じるが、この発明はこれに限定されるものではない。例えば、制御装置６により操作表示盤２を閉じることが許容されるとともに、この制御装置６が開閉装置３に閉信号を出力し、操作表示盤２を閉じても良い。【００７９】
以上のように、この実施例にかかる車載用電子機器１は、操作表示盤２と、操作表示盤２を開くことで挿入面１１を露出させる開閉装置３とを備える車載用電子機器１において、挿入面１１に露出し、かつ電気的に接続してデータ通信が可能な接続対象電子機器であるＵＳＢメモリ９，１０の接続側コネクタ９１，１０１が接続される受け側コネクタ４１を有し、接続対象電子機器のうち格納可能な接続対象電子機器であるＵＳＢメモリ９を、接続側コネクタ９１が接続された受け側コネクタ４１とともに格納するコネクタ格納装置４と、コネクタ格納装置４による接続対象電子機器であるＵＳＢメモリ９，１０の格納状態を検出するフォトセンサ７と、開閉装置３の開閉を制御する制御装置６とをさらに備え、操作表示盤２を開いた状態において、フォトセンサ７によりコネクタ格納装置４による接続対象電子機器であるＵＳＢメモリ９の格納を検出した場合に、操作表示盤２を閉じることを許容し、フォトセンサによりコネクタ格納装置４による接続対象電子機器であるＵＳＢメモリ９，１０の格納を検出しない場合に、操作表示盤２を閉じることを禁止することで、受け側コネクタに接続側コネクタが接続された接続対象電子機器の形状に拘わらず、接続対象電子機器との電気的な接続の強制的な解除を抑制することができるとともに、操作表示盤に対する視認性や操作性の悪化を抑制する電子機器を提供することができる。
【産業上の利用可能性】
【００８０】
以上のように、本発明にかかる電子機器は、車載用の電子機器に電気的に接続してデータ通信を行う電子機器に有用であり、特に、受け側コネクタに接続側コネクタが接続された接続対象電子機器の形状に拘わらず、接続対象電子機器との電気的な接続の強制的な解除を抑制するのに適している。
【図１−１】
0004644712.tif 000002
【図１−２】
0004644712.tif 000003
【図２】
0004644712.tif 000004
【図３−１】
0004644712.tif 000005
【図３−２】
0004644712.tif 000006
【図４】
0004644712.tif 000007
【図５】
0004644712.tif 000008
【図６】
0004644712.tif 000009
【図７】
0004644712.tif 000010
【図８】
0004644712.tif 000011
【図９】
0004644712.tif 000012
【図１０】
0004644712.tif 000013